(57)【要約】      （修正有）【課題】簡単に取り付けると共に、車両のバンバーの湾曲率に従い傾斜の角度を調整できるバックレーダ感知器の固定装置を提供する。【解決手段】弾力性フック３が設けられ、前記弾力性フックの中央に貫通孔３０が形成され、前記貫通孔の周縁部を通じてバックレーダ感知器１の超音波伝送センサ１２が固定され、又、前記弾力性フックの貫通孔の両側に夫々湾曲状ベース３１を設ける。さらに、前記湾曲状ベースがバックレーダ感知器の超音波伝送センサの両側に設置する湾曲部に対応して接触されることにより、角度の調整を行い、又、前記湾曲状ベースの両端に湾曲状の弾力性アーム３２が延設され、各湾曲状の弾力性アームが車両のバンバー２１の湾曲度に対応して傾斜の角度を調整する。【選択図】図１
0003164996.tif 000002
【実用新案登録請求の範囲】
【請求項１】
弾力性フックが設けられ、前記弾力性フックの中央に貫通孔が形成され、前記貫通孔の周縁部を通じてバックレーダ感知器の超音波伝送センサが固定され、又、前記弾力性フックの貫通孔の両側に夫々湾曲状ベースが設けられ、前記湾曲状ベースがバックレーダ感知器の超音波伝送センサの両側に設置する湾曲部に対応して接触されることにより、角度の調整を行い、又、前記湾曲状ベースの両端に湾曲状の弾力性アームが延設され、各湾曲状の弾力性アームが車両のバンバーの湾曲度に対応して傾斜の角度を調整することを特徴とするバックレーダ感知器の固定装置。
【請求項２】
前記湾曲状ベースと湾曲部は、等しい半径を有する円弧であり、前記湾曲状ベースが前記湾曲部に接触すると、完全に接触しながら、前記湾曲部に移動することができることを特徴とする請求項１に記載のバックレーダ感知器の固定装置。
【請求項３】
前記湾曲状ベースの一端において、湾曲状の弾力性アーム同士の間に反対方向に向かって湾曲係止部が設けられることにより、ワイヤを固定することを特徴とする請求項１に記載のバックレーダ感知器の固定装置。
【考案の詳細な説明】
【技術分野】
【０００１】
本考案は、バックレーダ感知器の固定装置であり、特に簡単に取り付けると共に、車両のバンバーの湾曲率に従い傾斜の角度を調整できる固定装置に関するものである。
【背景技術】
【０００２】
従来のバックレーダ感知器は、固定装置によって車両のバンバーに固定される。バックレーダのヘッドカバーを取り付ける際、バンバーにてある角度を偏移する必要があるので、その偏移角度を有するばねリングを使用しなければならない。即ち、バンバーの傾斜角度は５度の場合、ヘッドカバーを取り付ける際、５度を傾斜しなければならないため、５度を傾斜するばねリングによってバックレーダ感知器を車両のバンバーに固定する。
【０００３】
又、前記ばねリングをよく使用されるものであるため、特に特許又は非特許文献に記載されていない。
【考案の概要】
【考案が解決しようとする課題】
【０００４】
しかしながら、ヘッドカバーの傾斜角度が異なる場合、異なる角度を有するばねリングを使用する必要があるため、異なる角度を有するばねリングに対して材料を在庫する必要があり、これらの材料を予め用意するのは、製造コストを増加してしまうという問題があり、従って、異なる角度を有するヘッドカバーに対して調整すると共に、バックレーダ感知器をバンバーに固定する固定装置が望まれている。
【課題を解決するための手段】
【０００５】
本考案の目的は、バックレーダ感知器の固定装置を提供し、前記固定装置は、弾力性フックが設けられ、前記弾力性フックの中央に貫通孔が形成され、前記貫通孔の周縁部を通じてバックレーダ感知器の超音波伝送センサが固定され、又、前記弾力性フックの貫通孔の両側に夫々湾曲状ベースが設けられ、前記湾曲状ベースがバックレーダ感知器の超音波伝送センサの両側に設置する湾曲部に対応して接触されることにより、角度の調整を行い、又、前記湾曲状ベースの両端に湾曲状の弾力性アームが延設され、各湾曲状の弾力性アームが車両のバンバーの湾曲度に対応して傾斜の角度を調整できるので、簡単に取り付けると共に、製造コストを降下する目的を図ることができる。
【０００６】
前記の目的を達成するために、本考案の技術手段は、バックレーダ感知器の固定装置に弾力性フックが設けられ、前記弾力性フックの中央に貫通孔が形成され、前記貫通孔の周縁部を通じてバックレーダ感知器の超音波伝送センサが固定され、又、前記弾力性フックの貫通孔の両側に夫々湾曲状ベースが設けられ、前記湾曲状ベースがバックレーダ感知器の超音波伝送センサの両側に設置する湾曲部に対応して接触されることにより、角度の調整を行い、又、前記湾曲状ベースの両端に湾曲状の弾力性アームが延設され、各湾曲状の弾力性アームが車両のバンバーの湾曲度に対応して傾斜の角度を調整できる。
【考案の効果】
【０００７】
本考案は上記の課題を解決するものであり、簡単に取り付けると共に、車両のバンバーの湾曲率に従い傾斜の角度を調整できるバックレーダ感知器の固定装置を提供する。
【図面の簡単な説明】
【０００８】
【図１】本考案に係るバックレーダ感知器の固定装置を示す分解斜視図である。
【図２】本考案に係るバックレーダ感知器の固定装置によって車両のバンバーにバックレーダ感知器を取り付ける状態を示す参考図である。
【図３】本考案に係るバックレーダ感知器の固定装置の使用状態を示す参考図である。
【考案を実施するための形態】
【０００９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１０】
図１乃至図３に示すように、本考案に係わるバックレーダ感知器の固定装置には、弾力性フック（３）が設けられ（図１に参照し）、前記弾力性フック（３）の中央に貫通孔（３０）が形成され、前記貫通孔（３０）の周縁部を通じてバックレーダ感知器（１）の超音波伝送センサ（１２）が固定され、又、前記弾力性フック（３）の貫通孔（３０）の両側に夫々湾曲状ベース（３１）が設けられ、前記湾曲状ベース（３１）がバックレーダ感知器（１）の超音波伝送センサ（１２）の両側に設置する湾曲部（１１）に対応して接触されることにより、角度の調整を行い、又、前記湾曲状ベース（３１）の両端に湾曲状の弾力性アーム（３２）が延設され、各湾曲状の弾力性アーム（３２）が車両（２）のバンバー（２１）の湾曲度（図２に参照し）に対応して傾斜の角度を調整できる。
【００１１】
前記バックレーダ感知器（１）を車両（２）のバンバー（２１）に取り付けようとする場合、先ず、図１に示すように、前記バックレーダ感知器（１）と前記弾力性フック（３）を取り付け、前記バックレーダ感知器（１）の超音波伝送センサ（１２）が前記弾力性フック（３）の貫通孔（３０）を貫通した後、更にヘッドカバー（４）が前記バンバー（２１）における他の貫通孔（２２）を貫通した後（図１に示すように）、最後に組み合わせたバックレーダ感知器（１）と前記弾力性フック（３）とが前記他の貫通孔（２２）に貫通したヘッドカバー（４）と組み合わせることにより、前記湾曲状の弾力性アーム（３２）が前記バンバー（２１）の内表面に接触し、更に、前記ヘッドカバー（４）の一端における他の係合部（４１）と、前記バックレーダ感知器（１）の一面に係合部（１３）とを係合することにより、前記ヘッドカバー（４）の一端が前記貫通孔（３０）を貫通して前記バックレーダ感知器（１）に係合され、同時に前記ヘッドカバー（４）の外縁を前記バンバー（２１）の外表面に露出させ、前記超音波伝送センサ（１２）を前記バンバー（２１）と前記ヘッドカバー（４）の外部に露出させ、これにより、前記バックレーダ感知器（１）を前記バンバー（２１）に取り付ける。
【００１２】
更に、前記湾曲状ベース（３１）と湾曲部（１１）は等しい半径を有する円弧であり、前記湾曲状ベース（３１）が前記湾曲部（１１）に接触すると、完全に接触しながら、前記湾曲部（１１）に移動することができる（図３に参照する）。
【００１３】
又、前記湾曲状ベース（３１）の一端において、湾曲状の弾力性アーム（３２）同士の間に反対方向に向かって湾曲係止部（３３）が設けられる（図１及び図３に参照する）ことにより、ワイヤ（図面なし）を固定する。
【００１４】
前記バンバー（２１）には湾曲率を有し（図３に示す）、前記バックレーダ感知器（１）を取り付けると、前記弾力性フック（３）における湾曲状の弾力性アーム（３２）の等しい円弧により、前記バンバー（２１）の湾曲率に従って前記弾力性フック（３）が傾斜の角度を調整できる。そして、前記感知器のヘッドカバー（４）が前記バンバー（２１）の湾曲率に基づいて傾斜すると共に、前記バンバー（２１）に前記バックレーダ感知器（１）を固定する。
【００１５】
上述したように、本考案に係わるバックレーダ感知器の固定装置は、前記弾力性フック（３）の中央に前記貫通孔（３０）が形成されると共に、その両側に夫々前記湾曲状ベース（３１）が設けられることにより、前記バックレーダ感知器（１）の両側における前記湾曲部（１１）に接触し、且つ前記湾曲状ベース（３１）の両端に夫々湾曲状の弾力性アーム（３２）が延設され、各湾曲状の弾力性アーム（３２）が車両（２）のバンバー（２１）の湾曲度に対応して傾斜の角度を調整できるので、簡単に取り付けると共に、製造コストを降下する目的を図ることができる。
【産業上の利用可能性】
【００１６】
本考案は上記の構成を有するので、簡単に取り付けると共に、車両のバンバーの湾曲率に従い傾斜の角度を調整できるバックレーダ感知器の固定装置を提供する。
【符号の説明】
【００１７】
１          バックレーダ感知器
１１        湾曲部
１２        超音波伝送センサ
１３        係合部
２          車両
２１        バンバー
２２        他の貫通孔
３          弾力性フック
３０        貫通孔
３１        湾曲状ベース
３２        湾曲状の弾力性アーム
３３        湾曲係止部
４          感知器のヘッドカバー
４１        他の係合部
【図１】
0003164996.tif 000003
【図２】
0003164996.tif 000004
【図３】
0003164996.tif 000005